【事件の表示】
　特願２００８−　６７８４６「旋回カメラ装置、該旋回カメラ装置に用いられる温度制御方法及び温度制御プログラム」拒絶査定不服審判事件〔平成２１年１０月　１日出願公開、特開２００９−２２５１４６〕について、次のとおり審決する。
【結　論】
　本件審判の請求は、成り立たない。
【理　由】
第１．手続の経緯
　本願は、平成２０年３月１７日の出願であって、平成２４年３月１９日付けで拒絶査定がなされ、これに対し、平成２４年６月２７日に拒絶査定不服審判が請求されるとともに同日付で手続補正がなされたが、その後当審において、平成２５年４月１６日付けで平成２４年６月２７日付け手続補正が却下されるとともに同日付で最初の拒絶理由が通知され、平成２５年６月２４日付けで手続補正がなされたものである。
　
第２．本願発明について
１．本願発明
　本願の請求項に係る発明は、平成２５年６月２４日付けの手続補正により補正された特許請求の範囲の請求項１ないし９に記載された事項により特定されるものであるところ、その請求項１に係る発明（以下、「本願発明」という）は下記のとおりである。
　
　　　　　　　　記（本願発明：請求項１に係る発明）
　映像信号ケーブル、制御信号ケーブル及び電源ケーブルを介して長距離離れた管理部門と接続され、カメラ収納部と、該カメラ収納部を旋回する旋回装置とを有する旋回カメラ装置であって、
　前記旋回装置は、
　前記カメラ収納部を旋回するための旋回機構部と、
　該旋回機構部を旋回させるモータと、
　該モータを駆動するモータ駆動部と、
　前記旋回機構部に対して加温するための加温手段と、
　
該加温手段に電源を供給するための電源回路と、
　前記旋回機構部又はその近傍の温度を検出して該温度に対応する温度検出電圧を出力する温度検出手段と、
　該温度検出手段から出力された前記温度検出電圧を所定の設定温度に対応した基準電圧と比較
する比較器と、
　
前記比較器と第２の切替器との間に介挿される第１の切替器と、
　
前記電源回路と前記加温手段との間に介挿され、前記電源回路から前記加温手段への電源供給をオン状態又はオフ状態に切り替える前記第２の切替器と、
　
前記モータの回転を検出しないときは、前記第１の切替器をオン状態とする一方、前記モータの回転を検出すると回転検出信号を出力して前記第１の切替器をオフ状態とするエンコーダとを備えてなると共に、
　
前記比較器は、
　
前記第１の切替器がオン状態であるときであって、
以下のとき、前記第２の切替器をオン状態として前記
前記第１の切替器がオン状態であるときであって、
前記第２の切替器をオフ状態として
させ、
　
前記第１の切替器は、
　
前記エンコーダから前記回転検出信号を受けると、自信がオフ状態となることで、前記
前記第２の切替器をオフ状態として
させる
　
２．刊行物
（１）刊行物の記載事項
　これに対して、当審における、平成２５年４月１６日付けの拒絶理由に引用された特開２００７−２０６４７９号公報（以下、「刊行物１」という）には、図面とともに、以下のア〜ウの事項が記載されている。
　
ア．「【技術分野】
【０００１】
　本発明は、被写体の撮像方向が水平回転及び垂直回転により設定されるカメラ装置に関するものであり、低消費電力化に関するものである。
【背景技術】
【０００２】
　従来の技術を図２により説明する。図２は従来のカメラ装置の全体構成図で各部の内部に収納されている構成要素が示されている。図２において、3 はカメラケース、2 は左右に回転する水平回転部、1 は水平回転部 2 を固定する固定部である。
　カメラケース 3 は、カメラとカメラレンズとから成る撮像装置が収納されており、固定部 1 の上に水平回転部 2 を配置し、この水平回転部 2 の上部側面にカメラケース 3 を配置し、水平回転部 2 の回転軸の外側で垂直回転する。
　【０００３】
　水平回転部 2 の内部には、垂直回転用モータ 5 、垂直回転用ベルト 13 、カメラケース 3 に固定された垂直回転用シャフト8 、水平回転用モータ 4 、水平回転用ウォームギヤ 7 、固定部 1 に固定された水平回転用シャフト6 、コントロール回路 10 、垂直回転用モータドライバ 47 、水平回転用モータドライバ 46 、コントロール回路用の電源ユニット 40 、原点位置の読み取り用のセンサ 44 と 45 が収納されている。
　垂直回転用モータ 5 への制御は、コントロール回路 10 と垂直回転用モータドライバ 47 及び垂直回転用モータケーブル 12 を介し行なう。同様に、水平回転用モータ 4 への制御は、コントロール回路 10 と水平回転用モータドライバ 46 及び水平回転用モータケーブル 11 を介し行なう。
　【０００４】
　ケーブル 9 は、映像出力信号及びコントロール信号の入出力のケーブル（伝送用ケーブル）であり、コントロール回路ユニット 10 、コントロール回路 10 を介した映像出力信号、及びカメラコントロールケーブル 14 でカメラケース 3 に結合されている。
　AC 電源ケーブル 43 は、コントロール回路用 10 用の電源ユニット 40 に電力を供給する。電源ユニット 40 の出力は、コントロール回路 10 及びモータドライバ 46 、47 を介しモータ 4 、5 に供給される。」
　
イ．「【００１３】
　図１と図２によっては、本発明のコントロール回路の動作を説明する。図１は、本発明の一実施例のコントロール回路の構成を説明するためのブロック図である。
　コントロール回路 10 の内部に、ケーブル 9 と結合している CPU（ Central Processing Unit ）51 、部品の周囲温度を検出する温度センサ 53 、AC 電源 43 のオン／オフを切替えるリレー52 、ヒータ 50 、水平回転用モータドライバ 46 、水平回転用モータ 4 を示している。ここで図１では、水平回転用のモータドライバ、モータのみ記載しているが、垂直回転用のモータドライバ、モータも同様の構成である。」
　
ウ．「【００２１】
　次に、ヒータの動作について説明する。カメラ装置が設置された場所の周囲環境が氷点下などの低温時、内部回路（回路素子等の電子部品やメカニカル部品）、及び、ギヤ、モータなどの機構部品に動作不良が発生する可能性がある。この動作不良の発生を防止するために、内部ヒータ 50 によって、それらの部品の周囲温度を上げ、不良発生を極力抑える必要がある。
　【００２２】
　周囲温度は、温度センサ 53 によってその周囲温度を検出し、検出された温度結果を元に、検出された温度 TＡが所定の温度 T０（例えば、T０＝０℃）より低温である場合、リレー 52 を切替えてヒータ 50 に AC 電源を供給して通電する。
　逆に、温度センサ 53 が検出した温度 TＡが、所定の温度 T０より高い（ TＡ≧T０ ）ことを検出した場合には、リレー 52 をオフに切替えて、ヒータ 50 への AC 電源の供給を止め、非通電とする。
　【００２３】
　また低温等の温度環境下で、ヒータ 50 が通電状態の時に、外部からケーブル 9 によって回転指令（回転開始指令）がコントロール信号として入力された場合には、ヒータ 50 を非通電状態にした後に回転動作を開始するように設定する。なお、回転指令は、水平回転用モータ 4 あるいは垂直回転用モータ 5 の少なくとも１つを回転させるための指令である。
　【００２４】
　また、回転停止指令が入力された場合には、水平回転用モータ 4 あるいは垂直回転用モータ 5 の停止後、ヒータ 50 を通電状態にする。ただし、その時点での温度センサ 53 が検出した温度 TＡが所定の温度 T１ の温度範囲内（ TＡ≧T１ ）であればヒータ 50 を通電状態としない。なお、T１＝T０でも良い。
　なお、消費電力に余裕がある場合等には、水平回転用モータ 4 あるいは垂直回転用モータ 5 どちらか１つが回転していてもヒータ 50 を通電が可能なように設定しても良い。」
　
（２）引用発明
ａ．刊行物１の前掲ア、イ、図２の記載によれば、刊行物１のカメラ装置は、撮像装置を収納したカメラケース３を備え、固定部１の上に水平回転部２を配置し、水平回転部２の上部側面にカメラケース３を配置し、カメラケース３を水平回転部２の回転軸の外側で垂直回転させるものであり、映像出力信号及びコントロール信号の入出力ケーブル９、ＡＣ電源ケーブル４３が接続されている。
　また、水平回転部２の内部には、垂直回転用モータ５、垂直回転用ベルト１３、カメラケース３に固定された垂直回転用シャフト８、水平回転用モータ４、水平回転用ウォームギヤ７、固定部１に固定された水平回転用シャフト６、コントロール回路１０、垂直回転用モータドライバ４７、水平回転用モータドライバ４６が収納されている。
　
ｂ．刊行物１の前掲イ、ウ、図１の記載によれば、刊行物１のカメラ装置は、水平回転部２の内部に、内部回路（回路素子等の電子部品やメカニカル部品）、及び、ギヤ、モータなどの機構部品の周囲温度を上げる内部ヒータ５０を備えている。
　また、コントロール回路１０の内部に、ケーブル９と結合しているＣＰＵ５１、部品の周囲温度を検出する温度センサ５３、内部ヒータ５０へＡＣ電源ケーブルからのＡＣ電源の供給のオン／オフを切替えるリレー５２を備えている。
　そして、コントロール回路１０は、温度センサ５３によって検出された温度ＴＡが所定の温度Ｔ０より低温である場合、リレー５２をオンに切替えて内部ヒータ５０にＡＣ電源を供給して通電し、所定の温度Ｔ０より高い場合には、リレー５２をオフに切替えて内部ヒータ５０にＡＣ電源の供給を止め非通電とし、低温等の温度環境下であっても、モータを回転させるための回転指令（回転開始指令）が入力された場合には、リレー５２をオフに切替えて内部ヒータ５０を非通電状態にし、また、回転停止指令が入力された場合には、リレー５２をオンに切替えて内部ヒータ５０を通電状態にするが、その時点での温度センサ５３が検出した温度ＴＡが所定の温度Ｔ０以上であれば、リレー５２をオフに切替えて内部ヒータ５０を通電状態としないという制御を行うものである。
　
ｃ．以上によれば、刊行物１には下記の発明（以下、「引用発明」という）が記載されていると認められる。
　
　　　　　　　　　　　記（引用発明）
　映像出力信号及びコントロール信号の入出力ケーブル９、ＡＣ電源ケーブル４３が接続され、撮像装置を収納したカメラケース３を備え、固定部１の上に水平回転部２を配置し、水平回転部２の上部側面にカメラケース３を配置し、カメラケース３を水平回転部２の回転軸の外側で垂直回転させるカメラ装置であって、
　水平回転部２の内部には、垂直回転用モータ５、垂直回転用ベルト１３、カメラケース３に固定された垂直回転用シャフト８、水平回転用モータ４、水平回転用ウォームギヤ７、固定部１に固定された水平回転用シャフト６、コントロール回路１０、垂直回転用モータドライバ４７、水平回転用モータドライバ４６が収納され、
　さらに、水平回転部２の内部に、内部回路（回路素子等の電子部品やメカニカル部品）、及び、ギヤ、モータなどの機構部品の周囲温度を上げる内部ヒータ５０が備えられ、
　コントロール回路１０の内部に、ケーブル９と結合しているＣＰＵ５１、部品の周囲温度を検出する温度センサ５３、内部ヒータ５０へＡＣ電源ケーブルからのＡＣ電源の供給のオン／オフを切替えるリレー５２を備えており、
　コントロール回路１０は、温度センサ５３によって検出された温度ＴＡが所定の温度Ｔ０より低温である場合、リレー５２をオンに切替えて内部ヒータ５０にＡＣ電源を供給して通電し、
　所定の温度Ｔ０より高い場合には、リレー５２をオフに切替えて内部ヒータ５０にＡＣ電源の供給を止め非通電とし、
　低温等の温度環境下であっても、モータを回転させるための回転指令（回転開始指令）が入力された場合には、リレー５２をオフに切替えて内部ヒータ５０を非通電状態にし、
　また、回転停止指令が入力された場合には、リレー５２をオンに切替えて内部ヒータ５０を通電状態にするが、その時点での温度センサ５３が検出した温度ＴＡが所定の温度Ｔ０以上であれば、リレー５２をオフに切替えて内部ヒータ５０を通電状態としないという制御を行うカメラ装置。
　
３．対比
　本願発明と引用発明とを対比すると次のことが認められる。
　
（１）「映像信号ケーブル、制御信号ケーブル及び電源ケーブルを介して長距離離れた管理部門と接続され、カメラ収納部と、該カメラ収納部を旋回する旋回装置とを有する旋回カメラ装置」について
　
　引用発明の「映像出力信号及びコントロール信号の入出力ケーブル９」、「ＡＣ電源ケーブル４３」、「撮像装置を収納したカメラケース３」、「固定部１の上に水平回転部２を配置し、水平回転部２の上部側面にカメラケース３を配置し、カメラケース３を水平回転部２の回転軸の外側で垂直回転させる」は、それぞれ本願発明の「映像信号ケーブル、制御信号ケーブル」、「電源ケーブル」、「カメラ収納部」、「該カメラ収納部を旋回する旋回装置」に相当し、引用発明の「カメラ装置」はカメラを旋回させるものであるから、本願発明の「旋回カメラ装置」であるといえる。
　すなわち、引用発明は、本願発明と「映像信号ケーブル、制御信号ケーブル及び電源ケーブルが接続され、カメラ収納部と、該カメラ収納部を旋回する旋回装置とを有する旋回カメラ装置」である点で一致するものの、本願発明の旋回カメラ装置は「ケーブル介して長距離離れた管理部門と接続される」ものであるのに対し、引用発明のカメラ装置は、ケーブルがどこと接続されているのか特定されていない点で、本願発明と相違する。
　
（２）「前記旋回装置は、前記カメラ収納部を旋回するための旋回機構部と、該旋回機構部を旋回させるモータと、該モータを駆動するモータ駆動部とを備えてなる」について
　
　引用発明の旋回装置を構成する水平回転部２の内部に収納される「垂直回転用ベルト１３、カメラケース３に固定された垂直回転用シャフト８、水平回転用ウォームギヤ７、固定部１に固定された水平回転用シャフト６」は、本願発明の「カメラ収納部を旋回するための旋回機構部」に相当し、同じく「垂直回転用モータ５、水平回転用モータ４」、「垂直回転用モータドライバ４７、水平回転用モータドライバ４６」は、それぞれ本願発明の「旋回機構部を旋回させるモータ」、「モータを駆動するモータ駆動部」に相当するものといえる。
　よって、引用発明の旋回装置は「前記カメラ収納部を旋回するための旋回機構部と、該旋回機構部を旋回させるモータと、該モータを駆動するモータ駆動部」を備えている点で、本願発明と相違しない。
　
（３）「前記旋回装置は、前記旋回機構部に対して加温するための加温手段とを備えてなる」について
　
　引用発明の旋回装置を構成する水平回転部２の内部に備えられる「内部回路（回路素子等の電子部品やメカニカル部品）、及び、ギヤ、モータなどの機構部品の周囲温度を上げる内部ヒータ５０」は、旋回機構部に相当するギアの周囲温度を上げるものであるから、本願発明の「前記旋回機構部に対して加温するための加温手段」に相当するものといえる。
　よって、引用発明の旋回装置は「前記旋回機構部に対して加温するための加温手段」を備えている点で、本願発明と相違しない。
　
（４）「前記旋回装置は、該加温手段に電源を供給するための電源回路とを備えてなる」について
　
　引用発明は、水平回転部２の内部に備えられる内部ヒータ５０へＡＣ電源ケーブルを介してＡＣ電源の供給を行うものである。
　引用発明と本願発明は、ともに「該加温手段に電源を供給するための電源供給手段」を備えているものといえるが、引用発明は該加温手段に電源を供給するための「電源回路」を備えておらず、ＡＣ電源ケーブルからのＡＣ電源の供給を行うものである点で本願発明と相違する。
　
（５）「前記旋回装置は、前記旋回機構部又はその近傍の温度を検出して該温度に対応する温度検出電圧を出力する温度検出手段とを備えてなる」について
　
　引用発明の旋回装置を構成する水平回転部２の内部に収納されるコントロール回路１０内に設けられた「部品の周囲温度を検出する温度センサ５３」は、ギヤ、モータなどの機構部品の周囲温度を検出しているものといえるため、本願発明と「前記旋回機構部又はその近傍の温度を検出して温度検出値を出力する温度検出手段」である点で一致するものの、本願発明の温度検出手段は、「該温度に対応する温度検出電圧を出力する」のものであるのに対し、引用発明の温度検出手段は、温度に対応する温度検出電圧を出力するものであるとは特定されていない点で、本願発明と相違する。
　
（６）「前記旋回装置は、前記電源回路と前記加温手段との間に介挿され、前記電源回路から前記加温手段への電源供給をオン状態又はオフ状態に切り替える前記第２の切替器とを備えてなる」について
　
　引用発明は、前記（４）に述べたように該加温手段に電源を供給するための「電源回路」は有していないものの、旋回装置を構成する水平回転部２の内部に収納されるコントロール回路１０内に、内部ヒータ５０へのＡＣ電源ケーブルからのＡＣ電源の供給をオン状態又はオフ状態に切り替えるリレー５２を備えており、このリレー５２は本願発明の「第２の切替器」と同等の動作を行うものである。
　よって、引用発明は、本願発明と「前記電源供給手段と前記加温手段との間に介挿され、前記電源供給手段から前記加温手段への電源供給をオン状態又はオフ状態に切り替える第２の切替器」を備えている点で一致するものといえる。
　ただし、引用発明は電源回路を有していないため、引用発明の第２の切替器は電源回路からの電源供給を切り替えるものではなく、ＡＣ電源ケーブルからのＡＣ電源の供給を切り替えるものである点で本願発明と相違する。
　
（７）「前記旋回装置は、該温度検出手段から出力された前記温度検出電圧を所定の設定温度に対応した基準電圧と比較する比較器と、前記比較器と第２の切替器との間に介挿される第１の切替器と、前記モータの回転を検出しないときは、前記第１の切替器をオン状態とする一方、前記モータの回転を検出すると回転検出信号を出力して前記第１の切替器をオフ状態とするエンコーダとを備えてなる」、
「前記比較器は、
　前記第１の切替器がオン状態であるときであって、前記温度検出電圧が前記基準電圧以下のとき、前記第２の切替器をオン状態として前記加温手段を作動させる一方、前記第１の切替器がオン状態であるときであって、前記温度検出電圧が前記基準電圧よりも大きいとき、前記第２の切替器をオフ状態として前記加温手段の作動を停止させ」、
「前記第１の切替器は、
　前記エンコーダから前記回転検出信号を受けると、自信がオフ状態となることで、前記温度検出電圧に関わらず、前記第２の切替器をオフ状態として前記加温手段の作動を停止させる」について
　
　引用発明は、旋回装置を構成する水平回転部２の内部に設けられたコントロール回路１０が、回転停止指令が入力された場合には、温度センサ５３によって検出された温度ＴＡが所定の温度Ｔ０より低温であるとき、リレー５２をオンに切替えて内部ヒータ５０を導通状態にし、所定の温度Ｔ０以上のとき、リレー５２をオフに切替えて内部ヒータ５０を非導通状態にし、モータを回転させるための回転指令（回転開始指令）が入力された場合には、リレー５２をオフに切替えて内部ヒータ５０を非通電状態にするという制御を行うものである。
　ここで、引用発明のリレー５２は上記（６）で述べたように「第２の切替器」に相当するものである。
　（ａ）本願発明は、モータの回転をエンコーダにより検出するものであるのに対し、引用発明は、モータの回転を回転指令又は回転停止指令により検出するものである点で両者は相違する。
　（ｂ）本願発明は、「比較器」及び「第１の切替器」を有し、「比較器」が、温度検出手段の温度検出電圧を所定の設定温度に対応した基準電圧と比較し、その比較結果により「第２の切替器」を制御し、「エンコーダ」からのモータの回転検出信号により、「比較器」と「第２の切替器」との間に介挿される「第１の切替器」のオン状態とオフ状態が切り替わるものであり、それによって、モータが回転していない状態の場合には、温度検出手段による温度検出電圧が所定電圧以下であるとき、前記第２の切替器をオン状態として前記加温手段を作動させ、所定電圧より大きいとき、前記第２の切替器をオフ状態として前記加温手段の作動を停止させ、モータが回転している状態の場合には、第２の切替器をオフ状態として前記加温手段の作動を停止させるものである。
　したがって、本願発明の「比較器」及び「第１の切替器」と引用発明のコントロール回路１０は、ともに「第２の切替器を制御する制御手段」として動作し、「モータが回転していない状態の場合には、温度検出手段による温度検出値が所定値より小さいとき、前記第２の切替器をオン状態として前記加温手段を作動させ、所定値より大きいとき、前記第２の切替器をオフ状態として前記加温手段の作動を停止させ、モータが回転している状態の場合には、第２の切替器をオフ状態として前記加温手段の作動を停止させるという制御を行う」ものである点で一致するものといえる。
　一方、本願発明は、第２の切替器の制御を「比較器」及び「第１の切替器」により行っており、「比較器」は温度検出手段から出力された温度に対応した電圧を比較しているのに対し、引用発明は、第２の切替器の制御をコントロール回路１０により行っており、コントロール回路１０は温度検出手段から出力された温度を比較するものである点で両者は相違する。
　（ｃ）本願発明は、前記温度検出電圧が前記基準電圧以下のとき前記第２の切替器をオン状態として前記加温手段を作動させ、前記基準電圧よりも大きいとき前記第２の切替器をオフ状態として前記加温手段の作動を停止させるものであり、引用発明は、温度センサ５３によって検出された温度が所定の温度より低温であるときリレー５２をオンに切替えて内部ヒータ５０を導通状態にし、所定の温度以上のときリレー５２をオフに切替えて内部ヒータ５０を非導通状態にするものであるため、両者は、温度検出値が制御の変更点となる所定値と同じ場合の動作が異なっている。
　すなわち、温度検出手段による温度検出値が所定値と同じ場合に、本願発明は第２の切替器をオン状態として加温手段を作動させるのに対し、引用発明は、第２の切替器をオフ状態として前記加温手段の作動を停止させる点で両者は相違する。
　
４．一致点・相違点
　以上の対比（１）ないし（７）の対比結果を踏まえると、本願発明と引用発明の一致点及び相違点は次の通りである。
　
［一致点］
　映像信号ケーブル、制御信号ケーブル及び電源ケーブルが接続され、カメラ収納部と、該カメラ収納部を旋回する旋回装置とを有する旋回カメラ装置であって、
　前記旋回装置は、
　前記カメラ収納部を旋回するための旋回機構部と、
　該旋回機構部を旋回させるモータと、
　該モータを駆動するモータ駆動部と、
　前記旋回機構部に対して加温するための加温手段と、
　該加温手段に電源を供給するための電源供給手段と、
　前記旋回機構部又はその近傍の温度を検出して温度検出値を出力する温度検出手段と、
　第２の切替器を制御する制御手段と、
　前記電源供給手段と前記加温手段との間に介挿され、前記電源供給手段から前記加温手段への電源供給をオン状態又はオフ状態に切り替える前記第２の切替器とを備えてなると共に、
　制御手段は、
　モータが回転していない状態の場合には、温度検出手段による温度検出値が所定値より小さいとき、前記第２の切替器をオン状態として前記加温手段を作動させ、所定値より大きいとき、前記第２の切替器をオフ状態として前記加温手段の作動を停止させ、モータが回転している状態の場合には、第２の切替器をオフ状態として前記加温手段の作動を停止させるという制御を行うことを特徴とする旋回カメラ装置
　
［相違点１］
　本願発明の旋回カメラ装置は、「ケーブル介して長距離離れた管理部門と接続される」ものであるのに対し、引用発明の旋回カメラ装置は、ケーブルがどこと接続されているのか特定されていない点。
　
［相違点２］
　本願発明は、該加温手段に電源を供給するための「電源回路」を備えており、第２の切替器が電源回路からの電源供給を切り替えるものであるのに対し、引用発明は、該加温手段に電源を供給するための「電源回路」を有しておらず、第２の切替器がＡＣ電源ケーブルからのＡＣ電源の供給を切り替えるものである点。
　
［相違点３］
　本願発明の温度検出手段は、「該温度に対応する温度検出電圧を出力する」のものであるのに対し、引用発明の温度検出手段は、温度に対応する温度検出電圧を出力するものであるとは特定されていない点。
　
［相違点４］
　本願発明は、モータの回転をエンコーダにより検出するものであるのに対し、引用発明は、モータの回転を回転指令又は回転停止指令により検出するものである点。
　
［相違点５］
　本願発明は、第２の切替器の制御を「比較器」及び「第１の切替器」により行っており、「比較器」は温度検出手段から出力された温度に対応した電圧を比較しているのに対し、引用発明は、第２の切替器の制御をコントロール回路１０により行っており、コントロール回路１０は温度検出手段から出力された温度を比較するものである点。
　
［相違点６］
　温度検出手段による温度検出値が所定値と同じ場合に、本願発明は第２の切替器をオン状態として加温手段を作動させるのに対し、引用発明は、第２の切替器をオフ状態として前記加温手段の作動を停止させる点。
　
５．相違点の判断
（１）相違点１について
　旋回カメラ装置は、屋外などの監視に使用されることが一般的な用途であり、当審における拒絶理由に引用された特開平５−３４４６４４号公報（以下、「刊行物２」という）の段落【００１６】，図１，図２に、送電線鉄塔等に取り付けられる監視用の電動カメラ、電動旋回雲台、及びカメラ制御／復調器と離れた位置の監視所に設けられたカメラリモート操作／変調器及びテレビモニタとを信号ケーブル及び低圧ケーブルで接続するものが示されているように、旋回カメラ装置と長距離離れた位置にある監視カメラを管理する装置とをケーブルを介して接続することは慣用技術である。
　したがって、引用発明において、旋回カメラ装置を、ケーブルを介して長距離離れた管理部門と接続することは、当業者が容易に想到し得たことである。
　
（２）相違点２について
　本願の発明の詳細な説明に「旋回装置３Ａは、（中略）電源ケーブルを介して管理部門などと接続され、同管理部門から給電される」（段落【００１７】）、「電源回路４６は、管理部門などの図示しない外部制御端末から電源が入力される。」（段落【００１８】）と記載されるように、本願発明は、外部から電源ケーブルを介して電源回路に給電し、その電源回路から加温手段へ電源を供給するものである。
　引用発明は、電源ケーブルを介して供給される電源を直接内部ヒータへ供給するものであるが、内部ヒータが設けられる水平回転部の内部に、電源ケーブルを介して供給される電源に対して、例えば内部ヒータに適した電圧に調整するような電源回路を設けることは、当業者が必要に応じて適宜なし得ることである。
　よって、引用発明において、「加温手段に電源を供給するための電源回路」を設け、第２の切替器を電源回路からの電源供給を切り替えるものとすることは、当業者が容易になし得ることである。
　
（３）相違点３について
　検出された温度を電気信号（電圧）に変換して出力する温度センサは周知であり、温度に対応した電気信号（電圧）を入力して信号処理を行うことが慣用技術である（例えば、当審における拒絶理由に引用された特開平８−１２５８９４号公報（以下、「刊行物３」という）の段落【００１１】，【００１２】を参照のこと）。
　よって、引用発明の温度検出手段を、「温度に対応する温度検出電圧を出力する」ものとし、その温度検出電圧を入力としてその後の信号処理を行うことは、当業者が容易になし得ることである。
　
（４）相違点４について
　当審における拒絶理由に引用された特開２００２−１０７５９６号公報（以下、「刊行物４」という）の段落【００４８】〜【００５２】，【００５９】〜【００６２】，図４，図７には、モータ駆動信号が入力されると充電停止信号を出力する回路の他に、モータの回転を検知する回転検出回路からの検知信号が入力されると充電停止信号を出力する回路が記載されている。
　この記載によれば、モータの駆動を検出する手段として、モータ駆動信号を用いること、及び、モータの回転を検知する検知信号を用いることは、均等手段であるといえる。
　また、モータの回転検出をエンコーダにより行うことは、当審における拒絶理由に引用された特開２００３−１９９９８５号公報（以下、「刊行物５」という）の段落【００１１】，【００１４】、同じく特開２００２−１７８３８０号公報（以下、「刊行物６」という）の段落【００１７】〜【００１９】に記載されるように、慣用技術である。
　よって、引用発明において、モータの回転を回転指令又は回転停止指令により検出するものに代えて、エンコーダにより検出するものとすることは、当業者が容易に想到し得たことである。
　
（５）相違点５について
　本願発明の「比較器」及び「第１の切替器」、引用発明のコントロール回路は共に電子回路で構成されているものであり、所望の出力が得られる多数の等価な回路構成から具体的にどのような回路を採用するかは、当業者が適宜なし得ることである。
　また、上記「（３）相違点３について」において述べたように、温度に対応した電圧を信号処理することは慣用技術であり、当業者が容易に採用し得る技術である。
　よって、引用発明のコントロール回路に代えて、「温度検出手段から出力された温度検出電圧を所定の設定温度に対応した基準電圧と比較する比較器」と「比較器と第２の切替器との間に介挿される第１の切替器」からなる回路を採用し、「比較器は、第１の切替器がオン状態であるときであって、温度検出電圧が基準電圧以下のとき、第２の切替器をオン状態として加温手段を作動させる一方、第１の切替器がオン状態であるときであって、温度検出電圧が基準電圧よりも大きいとき、第２の切替器をオフ状態として加温手段の作動を停止させ」、「第１の切替器は、エンコーダから回転検出信号を受けると、自信がオフ状態となることで、温度検出電圧に関わらず、第２の切替器をオフ状態として加温手段の作動を停止させる」という動作を行うことは、当業者が容易に想到し得ることである。
　
（６）相違点６について
　基準値との比較を行う信号処理において、入力信号が基準となる所定値と同じ場合に、比較結果を真（ｔｒｕｅ）とするか偽（ｆａｌｓｅ）とするかは、当業者が適宜選択し得ることである。
　
６．効果等について
　本願発明の構成は、上記のように当業者が容易に想到できたものであるところ、本願発明が奏する効果は、その容易想到である構成から当業者が容易に予測しうる範囲内のものであり、同範囲を超える顕著なものでもない。
　
７．まとめ
　以上のとおりであるから、本願の請求項１に係る発明は、刊行物１ないし６に記載された発明及び周知技術に基づいて、当業者が容易に発明をすることができたものである。
　
第３．むすび
　以上のように、本願の請求項１に係る発明は、刊行物１ないし６に記載された発明及び周知技術に基づいて当業者が容易に発明をすることができたものであるから、特許法第２９条第２項の規定により特許を受けることができない。
　したがって、残る請求項２ないし９に係る発明について検討をするまでもなく、本願は拒絶をすべきものである。
　よって、結論のとおり審決する。